(57)【特許請求の範囲】
【請求項１】
基地局のエネルギー消費を減少させるための方法であって、
第１ダウンリンクパワーアンプを使用する第１アンテナを通じて第１パイロットチャンネルを送信することと、
第２ダウンリンクパワーアンプを使用する第２アンテナを通じて第２パイロットチャンネルを送信することと、
マルチ入力マルチ出力ユーザが前記基地局に対応するセルにいないことを決定することと、
前記第２パイロットチャンネルおよび前記第２ダウンリンクパワーアンプを切ることと、を備える方法。
【請求項２】
前記基地局はノードＢである、請求項１に記載の方法。
【請求項３】
前記方法は、前記基地局へ送信される命令を通じて無線ネットワークコントローラによって実行される、請求項１に記載の方法。
【請求項４】
前記第１パイロットチャンネル及び前記第２パイロットチャンネルは、ユーザ設備へのマルチ入力マルチ出力送信のために使用される、請求項１に記載の方法。
【請求項５】
エネルギー消費を減少させるように構成される無線機器であって、
プロセッサと、
前記プロセッサに電気的に接続されているメモリと、
前記メモリに格納される命令であって、
第１ダウンリンクパワーアンプを使用する第１アンテナを通じて第１パイロットチャンネルを送信すること、
第２ダウンリンクパワーアンプを使用する第２アンテナを通じで第２パイロットチャンネルを送信すること、
マルチ入力マルチ出力ユーザが前記無線機器に相当するセルにいないことを決定すること、
前記第２パイロットチャンネルおよび前記第２ダウンリンクパワーアンプを切ること、が前記プロセッサによって実行可能である、命令と、を備える無線機器。
【請求項６】
前記無線機器はノードＢである、請求項５に記載の無線機器。
【請求項７】
前記無線機器は、無線ネットワークコントローラから命令を受信する、請求項５に記載の無線機器。
【請求項８】
前記第１パイロットチャンネル及び前記第２パイロットチャンネルは、ユーザ設備へのマルチ入力マルチ出力ユーザ送信のために使用される、請求項５に記載の無線機器。
【請求項９】
エネルギー消費を減少させるように構成される無線機器であって、
第１ダウンリンクパワーアンプを使用する第１アンテナを通じて第１パイロットチャンネルを送信するための手段と、
第２ダウンリンクパワーアンプを使用する第２アンテナを通じて第２パイロットチャンネルを送信するための手段と、
マルチ入力マルチ出力ユーザが前記無線機器に対応するセルにいないことを決定するための手段と、
前記第２パイロットチャンネルおよび前記第２ダウンリンクパワーアンプを切るための手段と、を備える無線機器。
【請求項１０】
基地局のエネルギー消費を減少させるためのコンピュータ可読記憶媒体であって、
その上に命令を保管し、ここで前記命令は、
前記基地局に、第１ダウンリンクパワーアンプを使用する第１アンテナを通じて第１パイロットチャンネルを送信させるためのコードと、
前記基地局に、第２ダウンリンクパワーアンプを使用する第２アンテナを通じて第２パイロットチャンネルを送信させるためのコードと、
前記基地局に、マルチ入力マルチ出力ユーザが前記基地局に対応するセルにいないことを決定させるためのコードと、
前記基地局に、前記第２パイロットチャンネルおよび前記第２ダウンリンクパワーアンプを切らせるためのコードと、を備える、コンピュータ可読記憶媒体。
【発明の詳細な説明】
【技術分野】
【０００１】
関連出願
この出願は、２０１０年１月１１日に提出された「ENERGY SAVINGS IN CELLULAR BASE STATIONS.」という米国仮特許出願第６１／２９４，０４７号と関連し、それからの優先権を主張する。
【０００２】
本開示は、一般的に無線通信システムに関連する。より具体的には、本開示は、セルラ基地局におけるエネルギー節約のためのシステム及び方法に関連する。
【背景技術】
【０００３】
無線通信システムは、音声、ビデオ及びデータなどのような通信コンテンツの様々なタイプを供給するために広く展開される。これらのシステムは、１つ又はそれ以上の基地局による多重端末の同時通信をサポートすることができるマルチアクセスシステムであり得る。
【０００４】
貴重な天然資源が消費されるにつれて、コンピューティングデバイスの電力消費を減少することは利益がある。電力消費が減少され得る１つのその様な機器は、基地局である。
【０００５】
基地局は、常に動いていて、常に電力を消費している。無線通信機器が基地局の近くにない、又は基地局のサービスを利用していない場合、よく基地局の一部は、動いている。利益は、基地局のエネルギー消費を減少させることによって実現される。
【発明の概要】
【０００６】
基地局のエネルギー消費を減少させるための方法は、記述される。第１パイロットチャンネルは、第１ダウンリンクパワーアンプを使用する第１アンテナを通じて送信される。第２パイロットチャンネルは、第２ダウンリンクパワーアンプを使用する第２アンテナを通じて送信される。マルチ入力マルチ出力ユーザが基地局に対応するエリア内にいないことは決定される。第２パイロットチャンネルは、止められる。
【０００７】
第２パイロットチャンネルを止めることは、第２ダウンリンクパワーアンプを止めることを含み得る。基地局は、ノードＢであり得る。方法は、基地局へ送信される命令を通じて無線ネットワークコントローラによって実行される。第１パイロットチャンネル及び第２パイロットチャンネルは、ユーザ設備へのマルチ入力マルチ出力送信器のために使用され得る。
【０００８】
基地局のエネルギー消費を減少させるための方法はまた、記述される。方法は、ｎ個のキャリアを使用する１つ又はそれ以上のユーザ設備と通信することを含む。方法はまた、ｎ個のキャリアの１つ又はそれ以上の負荷がキャリア負荷閾値を下回ることを決定することを含む。１つ又はそれ以上のユーザ設備は、キャリア負荷閾値を下回る負荷を持つ１つ又はそれ以上のキャリアから、１つ又はそれ以上の他のキャリアへ、向け直される。キャリア負荷閾値を下回る負荷を持つ１つ又はそれ以上のキャリアは、消される。
【０００９】
キャリア負荷閾値を下回る負荷を持つ１つ又はそれ以上のキャリアを消すことは、キャリア負荷閾値を下回る負荷を持つ１つ又はそれ以上のキャリアに対応する物理的な設備を消すことを含み得る。物理的な設備は、ダウンリンクパワーアンプを含み得る。物理的な設備はまた、ベースバンドユニット上の少なくとも１つのチャンネルカード、デジタル信号プロセッサ、フィールドプログラマブルゲートアレイ、特定用途向け集積回路、クロック及びバックホールインターフェイスユニットを含み得もする。方法は、キャリア負荷閾値を上回る負荷を持つ１つ又はそれ以上のキャリアを使用する１つ又はそれ以上のユーザ設備と通信することを含み得る。
【００１０】
キャリア負荷閾値を下回る負荷を持つ１つ又はそれ以上のキャリアから、キャリア負荷閾値を上回る負荷を持つ１つ又はそれ以上のキャリアへ、１つ又はそれ以上のユーザ設備を向け直されることは、異なる変調及び符号化スキームへ切り替えさせること又は異なる周波数へ切り替えさせることを、１つ又はそれ以上のユーザ設備に指示することを含み得る。
【００１１】
キャリア負荷閾値を上回る負荷を持つ１つ又はそれ以上のキャリアの合計負荷が結合されるキャリア負荷閾値を上回るかどうかは決定され得る。キャリア負荷閾値を上回る負荷を持つ１つ又はそれ以上のキャリアの合計負荷が結合される負荷閾値を上回る場合、以前にスイッチオフされているキャリアは点けられ得、１つ又はそれ以上のユーザ設備はキャリア負荷閾値を上回る閾値を持つ１つ又はそれ以上のキャリアから以前に消されているキャリアへ向け直され得る。以前にスイッチオフされているキャリアを点けることは、以前にスイッチオフされているキャリアに対応する物理的な設備を点けることを含み得る。
【００１２】
方法は、基地局によって実行され得る。基地局は、ノードＢであり得る。方法はまた、基地局へ送られる命令を通じて無線ネットワークコントローラ（ＲＮＣ）によって実行され得もする。
【００１３】
基地局のエネルギー消費を減少させるための方法はまた、記述される。方法は、１つ又はそれ以上のキャリアを使用する１つ又はそれ以上のユーザ設備と通信することを含む。任意の１つ又はそれ以上のキャリアの負荷がキャリア負荷閾値を下回ることは、決定される。１つ又はそれ以上のキャリア上で不能にされる１つ又はそれ以上のベースバンドユニットサブユニットは、決定される。ベースバンドユニットサブユニットの１つ又はそれ以上は、不能にされる。方法は、さらに、１つ又はそれ以上のキャリアと不能にされていないベースバンドユニットサブユニットのみを使用するユーザ設備と通信することを含む。
【００１４】
方法は、さらに、任意の１つ又はそれ以上のキャリアの負荷がキャリア負荷閾値を上回ることを決定することを含み得る。不能にされていない１つ又はそれ以上のベースバンドユニットサブユニットは、再可動され得る。ベースバンドユニットサブユニットは、チャンネルカード、デジタル信号プロセッサ、フィールドプログラマブルゲートアレイ、特定用途向け集積回路、クロック及びバックホールインターフェイスユニットを含み得る。基地局は、ノードＢであり得る。方法は、基地局へ送られる命令を通じて無線ネットワークコントローラ（ＲＮＣ）によって実行され得る。
【００１５】
エネルギー消費を減少させるように構成される無線機器は、記述される。無線機器は、プロセッサ、プロセッサに電気的に接続されたメモリ、及びメモリに格納される命令を含む。命令は、第１ダウンリンクパワーアンプを使用する第１アンテナを通じて第１パイロットチャンネルを送信するためプロセッサによって実行可能である。命令はまた、第２ダウンリンクパワーアンプを使用する第２アンテナを通じて第２パイロットチャンネルを送信するためプロセッサによって実行可能である。命令は、さらに、マルチ入力マルチ出力ユーザが無線機器に対応するエリアに居ないことを決定するためにプロセッサによって実行可能である。命令は、さらに、第２パイロットチャンネルを切るためにプロセッサによって実行可能である。
【００１６】
エネルギー消費を減少させるように構成される無線機器はまた、記述される。無線機器は、プロセッサ、プロセッサと電気的に接続されているメモリ及びメモリに格納されている命令を含む。命令は、ｎ個のキャリアを使用する１つ又はそれ以上のユーザ設備と通信するためプロセッサによって実行可能である。命令はまた、ｎ個のキャリアの１つ又はそれ以上の負荷がキャリア負荷閾値を下回ることを決定するためにプロセッサによって実行可能である。命令は、さらに、キャリア負荷閾値を下回る負荷を持つ１つ又はそれ以上のキャリアから、１つ又はそれ以上の他のキャリアへ、１つ又はそれ以上のユーザ設備を向け直されるためプロセッサによって実行可能である。命令はまた、キャリア負荷閾値を下回る負荷を持つ１つ又はそれ以上のキャリアを消すためにプロセッサによって実行可能である。
【００１７】
エネルギー消費を減少させるように構成される無線機器は、さらに、記述される。無線機器は、プロセッサ、プロセッサと電気的に接続されているメモリ、メモリに格納されている命令を含む。命令は、１つ又はそれ以上のキャリアを使用する１つ又はそれ以上のユーザ設備と通信するためにプロセッサによって実行可能である。命令はまた、任意の１つ又はそれ以上のキャリアの負荷がキャリア負荷閾値を下回ることを決定するためにプロセッサによって実行可能である。命令は、さらに、１つ又はそれ以上のキャリア上で不能にされる１つ又はそれ以上のベースバンドユニットサブユニットを決定するためにプロセッサによって実行可能である。命令はまた、１つ又はそれ以上のベースバンドユニットサブユニットを不能にしないためにプロセッサによって実行可能である。命令は、さらに、１つ又はそれ以上のキャリア及び不能にされていないベースバンドユニットサブユニットのみを使用する１つ又はそれ以上のユーザ設備と通信するためにプロセッサによって実行可能である。
【００１８】
エネルギー消費を減少させるように構成される無線機器は、記述される。無線機器は、第１ダウンリンクパワーアンプを使用する第１アンテナを通じて第１パイロットチャンネルを送信するための手段を含む。無線機器はまた、第２ダウンリンクパワーアンプを使用する第２アンテナを通じて第２パイロットチャンネルを送信するための手段を含む。無線機器はさらに、マルチ入力マルチ出力ユーザが無線機器に対応するエリアに居ないことを決定するための手段を含む。無線機器はまた、第２パイロットチャンネルを切るための手段を含む。
【００１９】
基地局のエネルギー消費を減少させるためのコンピュータプログラム製品は、記述される。コンピュータプログラム製品は、その上に命令を有する非一時的なのコンピュータ可読媒体を含む。命令は、基地局に、第１ダウンリンクパワーアンプを使用する第１アンテナを通じて第１パイロットチャンネルを送信させるためのコードを含む。命令はまた、基地局に、第２ダウンリンクパワーアンプを使用する第２アンテナを通じて第２パイロットチャンネルを送信させるためのコードを含む。命令はさらに、基地局に、マルチ入力マルチ出力ユーザが基地局に対応するエリアに居ないことを決定させるためのコードを含む。命令はまた、基地局に、第２パイロットチャンネルを切らせるためのコードを含む。
【００２０】
エネルギー消費を減少させるように構成される無線機器はまた、記述される。無線機器は、ｎ個のキャリアを使用する１つ又はそれ以上のユーザ設備と通信するための手段を含む。無線機器はまた、ｎ個のキャリアの１つ又はそれ以上の負荷がキャリア負荷閾値を下回ることを決定するための手段を含む。無線機器はさらに、キャリア負荷閾値を下回る負荷を持つ１つ又はそれ以上のキャリアから、１つ又はそれ以上の他のキャリアへ、１つ又はそれ以上のユーザ設備を向け直されるための手段を含む。無線機器はまた、キャリア負荷閾値を下回る負荷を持つ１つ又はそれ以上のキャリアを切るための手段を含む。
【００２１】
エネルギー消費を減少させるように構成される無線機器はさらに、記述される。無線機器は、１つ又はそれ以上のキャリアを使用する１つ又はそれ以上のユーザ設備と通信するための手段を含む。無線機器はまた、任意の１つ又はそれ以上のキャリアの負荷がキャリア負荷閾値を下回ることを決定するための手段を含む。無線機器はさらに、１つ又はそれ以上のキャリア上で不能にされる１つ又はそれ以上のベースバンドユニットサブユニットを決定するための手段を含む。無線機器はまた、１つ又はそれ以上のベースバンドユニットサブユニットを不能にするための手段を含む。無線機器はさらに、１つ又はそれ以上のキャリア及び不能にされていないベースバンドユニットサブユニットのみを使用する１つ又はそれ以上のユーザ設備と通信するための手段を含む。
【図面の簡単な説明】
【００２２】
【図１】図１は、多重無線機器による無線通信システムを示す。
【図２】図２は、無線通信システムの選択されるコンポーネントを説明するブロック図である。
【図３】図３は、ノードＢ及びパケットネットワークインターフェイスを有する無線ネットワークコントローラ（ＲＮＣ）を説明するブロック図である。
【図４】図４は、本システム及び方法における使用のためのノードＢのブロック図である。
【図５】図５は、無線設備制御（ＲＥＣ）から分離される多重無線設備（ＲＥ）を有するノードＢのブロック図である。
【図６】図６は、マルチ入力マルチ出力（ＭＩＭＯ）送信を切ることによってノードＢの電力消費を減少させるための方法の流れ図である。
【図７】図７は、１つ又はそれ以上のキャリアを切ることによってノードＢの電力消費を減少させるための方法の流れ図である。
【図８】図８は、ノードＢ上で電力消費を減少させるためベースバンドユニット（ＢＢＵ）サブユニットを不能にするための方法の流れ図である。
【図９】図９は、ノードＢにおいて実施される送信器構造及び／又はプロセスのブロック図である。
【図１０】図１０は、ノードＢ内に含まれ得るあるコンポーネントを示す。
【図１１】図１１は、無線ネットワークコントローラ（ＲＮＣ）内に含まれ得るあるコンポーネントを示す。
【詳細な説明】
【００２３】
第３世代パートナーシップ協定（３ＧＰＰ）は、全世界的に適用可能な第３世代（３Ｇ）モバイルフォンの詳細を定義することを狙ったテレコミュニケーション協会のグループ間の共同である。３ＧＰＰは、モバイルネットワーク、モバイルシステム及びモバイル機器の次の世代のための詳細を定義し得る。３ＧＰＰにおいて、モバイルステーション又は機器は、「ユーザ設備」（ＵＥ）として呼ばれ得る。
【００２４】
図１は、多重無線機器を有する無線通信システム１００を示す。無線通信システム１００は、音声及びデータなどのような様々なタイプの通信コンテンツを供給するために広く展開される。無線機器は、ノードＢ１０４ａ−ｄ又はユーザ設備（ＵＥ）１１６であり得る。
【００２５】
無線通信システム１００は、ユニバーサルモバイル通信システム（Universal Mobile Telecommunications System）（ＵＭＴＳ）に従って動作する無線アクセスネットワーク（ＲＡＮ）１１８を含み得る。無線アクセスネットワーク（ＲＡＮ）１１８は、１つ又はそれ以上の無線ネットワークサブシステム（ＲＮＳ）１０８ａ−ｂを含み得る。各無線ネットワークサブシステム（ＲＮＳ）１０８は、１つ又はそれ以上のノードＢ及び１つ又はそれ以上の無線ネットワークコントローラ（ＲＮＣ）１０６ａ−ｂを含み得る。無線アクセスネットワーク（ＲＡＮ）はまた、「無線ネットワーク」又は「アクセスネットワーク」と呼ばれ得もする。無線アクセスネットワーク（ＲＡＮ）１１８は、ＵＭＴＳ地上無線アクセスネットワーク（Terrestrial Radio Access Network）（ＵＴＲＡＮ）であり得る。ＵＭＴＳ地上無線アクセスネットワーク（Terrestrial Radio Access Network）（ＵＴＲＡＮ）は、ノードＢ１０４及びノードＢ１０４のための制御設備（又は無線ネットワークコントローラ（ＲＮＣ）１０６ａ−ｂ）に関する集合的な用語であり、それは、ＵＭＴＳ無線アクセスネットワーク（ＲＡＮ）１１８を構成するものを含む。これは、リアルタイム回線交換とトラフィックタイプを切り替えられるパケットに基づくインターネットプロトコル（ＩＰ）との両者を運ぶことができる第３世代（３Ｇ）通信ネットワークである。ＵＴＲＡＮは、ユーザ設備（ＵＥ）１１６のためのエアーインターフェイスアクセス方法を供給する。コネクティビティは、ユーザ設備（ＵＥ）１１６とＵＴＲＡＮによるコアネットワーク１０２との間に供給される。無線アクセスネットワーク（ＲＡＮ）１１８は、多重ユーザ設備（ＵＥ）１１６間でデータパケットを輸送し得る。
【００２６】
ＵＴＲＡＮは、４つのインターフェイス、Ｉｕインターフェイス１１０ａ−ｂ、Ｕｕインターフェイス１０１、Ｉｕｂインターフェイス１１４ａ−ｄ及びＩｕｒインターフェイス１１２、を使用して、内部又は外部に接続され得る。ＵＴＲＡＮは、Ｉｕインターフェイス１１０と呼ばれる外部インターフェイスを通じてモバイル通信用グローバルシステム（ＧＳＭ（登録商標））コアネットワーク１０２へ結び付けられ得る。１つ又は複数の無線ネットワークコントローラ（ＲＮＣ）１０６は、Ｉｕインターフェイス１１０をサポートし得る。加えて、無線ネットワークコントローラ（ＲＮＣ１０６）は、Ｉｕｂインターフェイス１１４を通じてノードＢ１０４と呼ばれる基地局のセットを管理し得る。Ｉｕｒインターフェイス１１２は、２つの無線機ネットワークコントローラ（ＲＮＣ）１０６を互いに接続し得る。無線ネットワークコントローラ（ＲＮＣ）１０６がＩｕｒインターフェイス１１２によって相互に関連付けられているので、ＵＴＲＡＮは、主としてコアネットワーク１０２から自主的である。Ｕｕインターフェイス１０１はまた、ユーザ設備（ＵＥ）１１６にノードＢ１０４を接続し、一方、Ｉｕｂインターフェイス１１４は、ノードＢ１０４に無線ネットワークコントローラ（ＲＮＣ）１０６を接続する内部インターフェイスである。
【００２７】
無線アクセスネットワーク（ＲＡＮ）１１８は、さらに、会社のイントラネット、インターネット又は従来の公衆交換電話回線網（ＰＳＴＮ）のような無線アクセスネットワーク（ＲＡＮ）外の追加のネットワークへ接続され得、各ユーザ設備（ＵＥ）１１６と外部ネットワークとの間でデータパケットを輸送し得る。
【００２８】
図２は、無線通信システム２００の選択されるコンポーネントを説明するブロック図である。無線通信システム２００は、Ｉｕｂインターふぃえす２１４ａ−ｃを通じて（基地局又は無線ベーストランシーバステーションと呼ばれもする）ノードＢ２０４ａ−ｃへ接続される無線ネットワークコントローラ（ＲＮＣ）２０６ａ−ｄを含み得る。ノードＢ２０４は、対応する無線接続を通じてユーザ設備（ＵＥ）２１６ａ−ｅと通信し得る。ユーザ設備（ＵＥ）２１６はまた、リモートステーション、モバイルステーション又は、加入者ステーションと呼ばれ得もする。
【００２９】
通信チャンネルは、ユーザ設備（ＵＥ）２１６へノードＢ２０４からの送信のためのダウンリンク及びノードＢ２０４へユーザ設備（ＵＥ）２１６からの送信のためのアップリンクを含み得る。無線ネットワークコントローラ（ＲＮＣ）２０６は、１つ又はそれ以上のノードＢ２０４のための制御機能を供給し得る。各無線ネットワークコントローラ（ＲＮＣ）２０６は、モバイル交換センタ（mobile switching center）（ＭＳＣ）２２２ａ−ｂを通じて公衆交換交換網（ＰＳＴＮ）２２０へ接続され得る。
【００３０】
１つの設定において、無線ネットワークコントローラ（ＲＮＣ）２０６は、（図示しない）パケットデータサーバノード（ＰＤＳＮ）を通じて（図示しない）パケット交換ネットワーク（ＰＳＮ）へ接続され得る。無線ネットワークコントローラ（ＲＮＣ）２０６及びパケットデータサーバノードのような様々なネットワーク要素間のデータ交換は、任意の数のプロトコル、たとえばインターネットプロトコル（ＩＰ）、非対称転送モード（asynchronous transfer mode）（ＡＴＭ）、Ｔ１、Ｅ１、フレームリレー及び他のプロトコル、を使用して実施されることができる。
【００３１】
無線ネットワークコントローラ（ＲＮＣ）２０６は、多重の役割を果たし得る。たとえば、無線ネットワークコントローラ（ＲＮＣ）２０６は、新しい移動体の入ること又はノードＢ２０４を使用しようとするサービスを制御し得る。無線ネットワークコントローラ（ＲＮＣ）２０６はまた、ノードＢ２０４を制御し得もする。制御アドミッションは、ユーザ設備（ＵＥ）が、ネットワークが持つ利用可能なものまで無線資源（帯域幅及び信号ノイズ比）を割り当てられることを確実にする。Ｉｕｂインターフェイス２１４が終了することである。無線ネットワークコントローラ（ＲＮＣ）２０６は、ユーザ設備（ＵＥ）２１６のリンク層通信を終了させる現在の無線ネットワークコントローラ（ＲＮＣ）２０６として行動し得る。現在の無線ネットワークコントローラ（ＲＮＣ）２０６はまた、新しいユーザ設備（ＵＥ）の入ること又は、Ｉｕインターフェイス１１０上でコアネットワーク１０２を使用することを試みるサービスを制御し得もする。
【００３２】
マルチ入力マルチ出力（ＭＩＭＯ）システムにおいて、送信及び受信アンテナからの（送信器アンテナの＃）Ｎ掛ける（受信機アンテナの＃）Ｍ個の信号パスがあり、これらのパス上の信号は、同一ではない。マルチ入力マルチ出力（ＭＩＭＯ）システムは、マルチデータ送信パイプを生成する。パイプは、スペースタイム領域において直交する。パイプの数は、システムのランクと同じである。これらのパイプはスペースタイム領域において朝貢するので、これらは、互いにほとんど干渉を生じない。データパイプは、ＮｘＭ個のパス上で適切に合成する信号による適切なデジタル信号処理によって実現される。送信パイプは、アンテナ送信チェーン又はあらゆる１つの特定の送信パスに相当しないこともある。
【００３３】
通信システムは、単一キャリア周波数又は多重キャリア周波数を使用し得る。ユーザ設備（ＵＥ）２１６とノードＢ２０４ａとの間の各通信リンクは、異なる数のキャリア周波数を合同させ得る。ユーザ設備（ＵＥ）２１６は、無線チャンネルを通じて通信する任意のデータ機器であり得る。ユーザ設備（ＵＥ）２１６は、ＰＣカード、コンパクトフラッシュ（登録商標）、外部若しくは内部モデム、又は無線電話を限定ではなく含む任意の数のタイプの機器であり得る。ユーザ設備（ＵＥ）２１６は、移動可能又は固定であり得る。
【００３４】
１つ又はそれ以上のノードＢ２０４との活動中のトラフィックチャンネル接続を設立しているユーザ設備（ＵＥ）２１６は、活動中のユーザ設備（ＵＥ）２１６と呼ばれ、トラフィック状態にあるといえる。１つ又はそれ以上のノードＢ２０４との活動中のトラフィックチャンネル接続を設立するプロセス中であるユーザ設備（ＵＥ）２１６は、接続セットアップ状態にあるといえる。
【００３５】
図３は、ノードＢ３０４と、パケットネットワークインターフェイス３２４とインターフェイスで連動される無線ネットワークコントローラ（ＲＮＣ）３０６とを示すブロック図である。ただ１つのノードＢ３０４が、簡潔さのために示される。ノードＢ３０４と無線ネットワークコントローラ（ＲＮＣ）３０６とは、無線ネットワークサブシステム（ＲＮＳ）３０８の一部であり得る。ユーザ設備（ＵＥ）１１６へノードＢ３０４によって送信されるためのデータの量は、ノードＢ３０４におけるデータ列３３４から回収され、無線周波数（ＲＦ）ユニット３３６を通じてデータ列と関連するユーザ設備（ＵＥ）１１６へ送信するためのチャンネル要素３３２へ供給され得る。
【００３６】
無線ネットワークコントローラ（ＲＮＣ）３０６は、モバイル交換センタ（mobile switching center）（ＭＳＣ）３２２を通じて、公衆交換電話回線網（ＰＳＴＮ）３２０とインターフェイスで連動する。また、無線ネットワークコントローラ（ＲＮＣ）３０６は、ノードＢ３０４とインターフェイスで連動する。加えて、無線ネットワークコントローラ（ＲＮＣ）３０６は、パケットネットワークインターフェイス３２４とインターフェイスで連動し得る。無線ネットワークコントローラ（ＲＮＣ）３０６は、通信システムにおけるユーザ設備（ＵＥ）１１６と、パケットネットワークインターフェイス３２４並びに公衆交換電話回線網（ＰＳＴＮ）３２０と接続される通信システムと接続される他のユーザと、の間の通信を調整し得る。公衆交換電話回線網（ＰＳＴＮ）３２０は、（図示されない）標準電話ネットワーク（standard telephone network）を通じてユーザとインターフェイスで連動し得る。
【００３７】
無線ネットワークコントローラ（ＲＮＣ）３０６は、多くのセレクタ要素３３８を含み得る。各セレクタ要素３３８は、１つ又はそれ以上のノードＢ３０４と１つのユーザ設備（ＵＥ）１１６との間の通信を制御するために割り当てられ得る。セレクタ要素３３８が、与えられるユーザ設備（ＵＥ）１１６へ割り当てられている場合、コール制御プロセッサ３４０は、ユーザ設備（ＵＥ）１１６を呼び出すための要求を通知され得る。コール制御プロセッサ３４０は、そのときユーザ設備（ＵＥ）１１６を呼び出すためにノードＢ３０４を指揮し得る。
【００３８】
データソース３２６は、与えられるユーザ設備（ＵＥ）１１６へ送信される多量のデータを含み得る。データソース３２６は、パケットネットワークインターフェイス３２４へデータを供給し得る。パケットネットワークインターフェイス３２４は、データを受信し、セレクタ要素３３８へデータを発送する。セレクタ要素３３８はそのとき、ターゲットユーザ設備（ＵＥ）１１６に接続されているノードＢ３０４へデータを送信する。各ノードＢ３０４は、ユーザ設備１１６へ送信されるためのデータを格納するデータ列３３４を維持し得る。
【００３９】
各データパケットのため、チャンネル要素３３２は、必要な制御フィールドを差し込み得る。１つの設計において、チャンネル要素３３２は、データパケット並びに制御フィールドを復号化するため、及び、コードテールビットのセットを差し込むため巡回冗長検査（cyclic redundancy check）（ＣＲＣ）を実行し得る。データパケット、制御フィールド、ＣＲＣパリティビット及びコードテールビットは、フォーマットされるパケットを形成する。１つの設計において、チャンネル要素３３２はそのとき、フォーマットされるパケットを復号化し、復号化されるパケット内にあるシンボルをインターリーブ（又は、再配列）し得る。インターリーブされるパケットは、ショートＰＮＩ及びＰＮＱコードを持つワッシュコード及びスプリッドによってカバーされ得る。スプレッドデータは、信号を直交変調し、フィルタ処理し、増幅する無線周波数（ＲＦ）ユニット３３６へ供給される。ダウンリンク信号は、ユーザ設備（ＵＥ）１１６へアンテナを通じて無線上で送信される。
【００４０】
ノードＢ３０４は、制御ユニット３３０及びメモリ３２８を含み得る。制御ユニット３３０は、メモリ３２８に格納されるソフトウェアに従ってノードＢ３０４の各コンポーネントを制御し得る。
【００４１】
図４は、本システム及び方法における使用のためのノードＢ４０４のブロック図である。図４のノードＢ４０４は、図１に示されるノードＢ１０４の１つの設定であり得る。キャリアが配置されているシステムにおいて、エネルギー管理技術は、システムにおいて測定されるトラフィックに基づいてノードＢ４０４で紹介され得る。
【００４２】
ＵＭＴＳノードＢ４０４内でエネルギーを節約できるようにする潜在的な解決法は、存在し得る。これらの解決法は、今までの並びに新しいユーザ設備（ＵＥ）１１６がノードＢ４０４からサービスへのアクセスを得る時間への影響、及び、いままでの並びに新しいユーザ設備（ＵＥ）１１６への影響（たとえば、電力消費及び可動性）を考慮し得る。後方互換性のある及び後方互換性のない解決法は、両方とも考えられ得る。
【００４３】
ノードＢ４０４は、２つの基本的な建造ブロック、ベースバンドユニット（ＢＢＵ）４４２及び無線設備（ＲＥ）４５６、を含み得る。ベースバンドユニット（ＢＢＵ）４４２はまた、無線設備制御（radio equipment control）（ＲＥＣ）と呼ばれ得もする。ベースバンドユニット（ＢＢＵ）４４２と無線設備（ＲＥ）４５６との両者は、従来の無線基地局の設計において同じ共用され得る。ベースバンドユニット（ＢＢＵ）４４２は、デジタルベースバンド領域の無線機能を含み得る。無線設備（ＲＥ）４５６は、アナログ無線周波数機能を含み得る。
【００４４】
ベースバンドユニット（ＢＢＵ）４４２は、チャンネルカード４４４、デジタル信号プロセッサ（ＤＰＳ）４４６、フィールドプログラマブルゲートアレイ（ＦＰＧＡ）４４８、特定用途向け集積回路（ＡＳＩＣ）４５０、クロック４５２及びバックホールインターフェイスユニット４５４のようなサブユニットを含み得る。これらのサブユニットが必要とされない場合、これらのサブユニットの一部は、電力を節約するために切られ得る。たとえば、ベースバンドユニット（ＢＢＵ）４４２は、３つのチャンネルカード４４４を含み得る。負荷に基づいて、チャンネルカード４４４の２つは、電力を節約するために消され得る。単純に、バックホールインターフェイスユニット４５４におけるＥ１又はＴ１のサブセットは、切られ得る。
【００４５】
無線設備（ＲＥ）４５６は、第１アンテナ４６０ａに接続される第１ダウンリンクパワーアンプ４５８ａを含み得る。ノードＢ４０４がマルチ入力マルチ出力（ＭＩＭＯ）送信のため使用される場合、無線設備（ＲＥ）４５６はまた、第２アンテナ４６０ｂに接続される第２ダウンリンクパワーアンプ４５８ｂを含み得る。１つの設計において、無線設備（ＲＥ）４５６は、２つ以上のダウンリンクパワーアンプ４５８を含み得る。たとえば、ノードＢ４０４は、多重パワーアンプ４５８を横切って多重キャリア（ＭＩＭＯでない）を使用し得る。ノードＢ４０４は、ノードＢ４０４の電力消費を減少させるため１つ又はそれ以上のダウンリンクパワーアンプ４５８を切り得る。ノードＢ４０４がキャリアを切る場合、ノードＢ４０４は、キャリアに割り当てられるダウンリンクパワーアンプ４５８を切り得る。
【００４６】
エネルギー消費における減少は、存在するノードＢ４０４におけるエネルギー消費の落ち込みを決定すること、ターゲットを節約するノードＢ４０４エネルギーを設立すること及び、ＵＴＲＡＮ動作はもちろんノードＢ４０４実施増進を信頼する存在するＵｕインターフェイス１０１に基づく解決法を見つけることによって達成され得る。ターゲットがまだ満たされない場合、３ＧＰＰ仕様への修正を手段としてターゲットを達成することを助けることができる解決法は、見つけられ得る。各解決法は、システムへの影響に基づいて特徴づけられる必要があり得る。
【００４７】
ノードＢ４０４は、エネルギー管理モジュール４６２を含み得る。ノードＢ４０４は、ノードＢ４０４のエネルギー消費を減少し得る調整を行うときを決定するためエネルギー管理モジュール４６２を使用し得る。エネルギー管理モジュール４６２は、キャリア負荷閾値４６４を含み得る。ノードＢ４０４がノードＢ４０４の電力消費を減少させるためにベースバンドユニット（ＢＢＵ）４４２の１つ若しくはそれ以上のキャリア又は１つ若しくはそれ以上のサブセットを切る場合、キャリア負荷閾値４６４は、最小キャリア負荷を定義する前もってセットする閾値であり得る。エネルギー管理モジュール４６２はまた、結合されるキャリア負荷閾値４６６を含み得る。ノードＢ４０４がエネルギーを保護するため１つ又はそれ以上のキャリアを切っている場合、結合されるキャリア負荷閾値４６６は、ノードＢ４０４が消されたキャリアを再度つける前に点いているキャリア上の前もってセットする最大負荷であり得る。キャリア負荷閾値４６４は、図６及び図７に関連して以下により詳細に議論される。結合されるキャリア負荷閾値４６６は、図６及び図７に関連して以下により詳細に議論される。
【００４８】
図５は、無線設備制御（ＲＥＣ）５４２から離れる多重無線設備（ＲＥ）５５６ａ−ｂを持つノードＢ５０４のブロック図である。無線設備制御（ＲＥＣ）５４２は、ベースバンドユニット（ＢＢＵ）４４２であり得る。無線設備制御（ＲＥＣ）５４２は、便利にアクセス可能な場所に設置される間、各無線設備（ＲＥ）５５６は、アンテナの近くにあり得る。ＵＭＴＳ無線アクセスネットワーク（ＲＡＮ）１１８のため、無線設備制御（ＲＥＣ）５４２は、Ｉｕｂインターフェイス１１４を通じて無線ネットワークコントローラ（ＲＮＣ）１０６へのアクセスを供給し、ここで、無線設備（ＲＥ）５５６は、ユーザ設備（ＵＥ）１１６へ、Ｕｕインターフェイス１０１と呼ばれる、無線インターフェイスとして役立つ。表１は、無線設備制御（ＲＥＣ）５４２と無線設備（ＲＥ）５５６とによってアップリンクとダウンリンクとの両者の上で実行される機能を列挙する。
【表１】
0005639192.tif 000002
【００４９】
図６は、マルチ入力マルチ出力（ＭＩＭＯ）送信を切ることによってノードＢ４０４の電力消費を減少させるための方法６００の流れ図である。方法６００は、ノードＢ４０４によって実行され得る。１つの設定において、方法６００は、ノードＢ４０４へ送信される命令を通じて無線ネットワークコントローラ（ＲＮＣ）１０６によって実行され得る。ノードＢ４０４は、第１ダウンリンクパワーアンプ４５８ａを使用する第１アンテナ４６０ａを通じて第１パイロットチャンネルを、及び、第２ダウンリンクパワーアンプ４５８ｂを使用する第２アンテナ４６０ｂを通じて第２パイロットチャンネルを、送信６０２する。パイロットチャンネルは、ノードＢ４０４に接続されている１つ又はそれ以上のユーザ設備（ＵＥ）１１６へのマルチ入力マルチ出力（ＭＩＭＯ）送信のために使用され得る。
【００５０】
ノードＢ４０４は、セルにおいてあらゆるマルチ入力マルチ出力（ＭＩＭＯ）ユーザが存在するか否かを決定し得る。マルチ入力マルチ出力（ＭＩＭＯ）ユーザは、マルチ入力マルチ出力（ＭＩＭＯ）通信に関して能力がある／設定されるノードＢ４０４によってカバーされる境界線内にあるユーザ設備（ＵＥ）１１６と呼ばれ得る。セルにおいてマルチ入力マルチ出力（ＭＩＭＯ）ユーザが存在する場合、ノードＢ４０４は、第１ダウンリンクパワーアンプ４５８ａを使用する第１アンテナ４６０ａを通じる第１パイロットチャンネルと、及び、第２ダウンリンクパワーアンプ４５８ｂを使用する第２アンテナ４６０ｂを通じる第２パイロットチャンネルとの両者の送信６０２を継続し得る。
【００５１】
セルにおいてマルチ入力マルチ出力（ＭＩＭＯ）ユーザが存在しない場合、ノードＢ４０４は、第２パイロットチャンネルと第２ダウンリンクパワーアンプ４５８ｂを切り６０６得る。これは、相当のエネルギー節約を導き得る。したがって、ノードＢ４０４は、第２パイロットチャンネルが必要とされていない時期の間に、第２パイロットチャンネルを送信するための第２パワーアンプ４５８ｂによって使用される電力を除去することによってノードＢ４０４の電力消費を減少し得る。ノードＢ４０４は、第１ダウンリンクパワーアンプ４５８ａを使用する第１アンテナを通じて第１パイロットチャンネルのみを送信６０８する。ノードＢ４０４はそのとき、セルにおいてあらゆるマルチ入力マルチ出力（ＭＩＭＯ）ユーザが存在するか否か再度決定し得る。
【００５２】
図７は、１つ又はそれ以上のキャリアを切ることによってノードＢ４０４の電力消費を減少させるための方法７００の流れ図である。方法７００は、ノードＢ４０４によって実行され得る。１つの設計において、方法７００は、ノードＢ４０４へ送信される命令を通じて無線ネットワークコントローラ（ＲＮＣ）１０６によって実行され得る。ノードＢ４０４は、ｎ個のキャリアを使用する１つ又はそれ以上のユーザ設備（ＵＥ）１１６と通信７０４し得る。
【００５３】
ノードＢ４０４は、任意のｎ個のキャリアの負荷がキャリア負荷閾値４６４を下回るか否かを決定し得る。キャリア負荷閾値４６４は、他のキャリアへユーザ設備（ＵＥ）１１６を向け直しキャリアを切る前にキャリアを利用するユーザ設備（ＵＥ）１１６の最大数を定義する前もってセットする閾値であり得る。ユーザ設備（ＵＥ）１１６は、単一キャリアユーザ又は多重キャリアを使用するノードＢ４０４と通信する能力のあるユーザ設備（ＵＥ）１１６であり得る。
【００５４】
キャリア負荷閾値４６４を下回る負荷のｎ個のキャリアがない場合、ノードＢ４０４は、ｎ個のキャリアを使用する１つ又はそれ以上のユーザ設備（ＵＥ）１１６との通信７０４を継続し得る。任意のｎ個のキャリアの負荷がキャリア負荷閾値４６４を下回る場合、ノードＢ４０４は、キャリア負荷閾値４６４を下回る負荷を持つ１つ又はそれ以上のキャリアから、キャリア負荷閾値４６４を上回る負荷を持つ１つ又はそれ以上のキャリアへ、１つ又はそれ以上のユーザ設備（ＵＥ）１１６を向け直し得る７０８（ただ１つのキャリア残るまで、これは適用され得る。）。１つの設計において、ノードＢ４０４は、現在キャリア負荷閾値４６４を下回る負荷を持つ１つ又はそれ以上のキャリア（一度ユーザ設備（ＵＥ）１１６がそれらへ向け直されると、キャリア負荷閾値４６４を下回る負荷を持つ１つ又はそれ以上のキャリアから、キャリア負荷閾値４６４を上回る負荷を持つことになるキャリアを除く）へ、１つ又はそれ以上のユーザ設備（ＵＥ）１１６を向け直し得る７０８。キャリア負荷閾値４６４を下回る負荷を持つキャリアからキャリア負荷閾値４６４を上回る負荷を持つ１つ又はそれ以上のキャリアへ１つ又はそれ以上のユーザ設備（ＵＥ）１１６を向け直すこと７０８は、異なる変調並びに符号化スキーム及び異なる周波数へ変更することを１つ又はそれ以上のユーザ設備（ＵＥ）１１６に指示することを含み得る。１つの設計において、ノードＢ４０４は、多重キャリアへ１つ又はそれ以上のユーザ設備（ＵＥ）１１６を向け直し得る（たとえば、全てではないユーザ設備（ＵＥ）１１６は、同一のキャリアへ行くことになる。）。他の設計において、ノードＢ４０４は、ユーザ設備（ＵＥ）１１６が設定されるキャリアの合計を減少させ得る（たとえば、３つの異なるキャリア及び（ユーザ設備（ＵＥ）１１６のタイプ及び量の混合から）十分でないデータ要求を使用して通信することができる小さい数のユーザ設備（ＵＥ）１１６がある場合、ノードＢ４０４は、ただ１つ又は２つのキャリアを使用するためにそれらのマルチキャリアユーザ設備（ＵＥ）１１６を再設定し、余分な（複数の）キャリアを切り得る。）。
【００５５】
ノードＢ４０４はそのとき、キャリア負荷閾値４６４を下回る負荷を持つ１つ又はそれ以上のキャリア及び１つ又はそれ以上のキャリアに対応する物理的な設備を切り７１０得る。負荷が最小の期間中に１つ又それ以上のキャリアを切ることによって、ベースバンドユニット（ＢＢＵ）４４２及び無線設備（ＲＥ）４５６の全て又は一部は、切られ得、ノードＢ４０４でのエネルギー消費における潜在的な大きな減少を導く。ノードＢ４０４は、キャリア負荷閾値４６４を上回る負荷を持つ１つ又はそれ以上のキャリアを使用する１つ又はそれ以上のユーザ設備（ＵＥ）１１６と通信７１２し得る。
【００５６】
ノードＢ４０４は、任意の１つ又はそれ以上のキャリアの負荷がキャリア負荷閾値４６４を下回るか否かを決定７１３し得る。任意の１つ又はそれ以上のキャリアの負荷がキャリア負荷閾値４６４を下回る場合、ノードＢ４０４は、キャリア負荷閾値４６４を下回る負荷を持つ１つ又はそれ以上のキャリアから、キャリア負荷閾値４６４を上回る負荷を持つ１つ又はそれ以上のキャリアへ、１つ又はそれ以上のユーザ設備（ＵＥ）１１６を向け直し得る７０８。キャリア負荷閾値４６４を下回る負荷を持つｎ個のキャリアがない場合、ノードＢ４０４は、キャリア負荷閾値４６４を上回る負荷を持つ１つ又はそれ以上のキャリアの合計負荷が構成されるキャリア閾値４６６を上回るか否か決定７１４し得る。結合されるキャリア閾値４６６は、前に切られているキャリアがエネルギー消費を減少させるために切られている後に前に切られているキャリアを使用する通信を再開するときを決定するためノードＢ４０４によって使用される閾値であり得る。
【００５７】
１つ又はそれ以上のキャリアの合計負荷が結合されるキャリア閾値４６６を上回らない場合、ノードＢ４０４は、キャリア負荷閾値４６４を上回る負荷を持つ１つ又はそれ以上のキャリアを使用する１つ又はそれ以上のユーザ設備（ＵＥ）１１６との通信７１２を継続し得る。１つ又はそれ以上のキャリアの合計負荷が結合されるキャリア閾値４６６を上回る場合、ノードＢ４０４は、前に切られているキャリア及び前に切られているキャリアに対応する物理的な設備を点け得る。キャリア負荷閾値４６４を上回る負荷を持つ１つ又はそれ以上のキャリアから、ノードＢ４０４は、次に前に切られているキャリアへ、１つ又はそれ以上のユーザ設備（ＵＥ）１１６を向け直し得る７１８。ノードＢ４０４はそのとき、キャリア負荷閾値４６４を上回る負荷を持つ１つ又はそれ以上のキャリアを使用する１つ又はそれ以上のユーザ設備（ＵＥ）１１６と通信７１２し得る。
【００５８】
図８は、ノードＢ４０４上でエネルギー消費を減少させるためベースバンドユニット（ＢＢＵ）４４２サブユニットを不能にするための方法８００の流れ図である。方法８００は、ノードＢ４０４によって実行され得る。１つの設計において、方法８００は、ノードＢ４０４へのコマンドを通じて無線ネットワークコントローラ（ＲＮＣ）１０６によって実行され得る。ノードＢ４０４は、１つ又はそれ以上の各キャリアのための１つ又はそれ以上のキャリア及び全てのベースバンドユニット（ＢＢＵ）４４２サブユニットを使用する１つ又はそれ以上のユーザ設備（ＵＥ）１１６と通信８０２し得る。ノードＢ４０４は、任意の１つ又はそれ以上のキャリアの負荷がキャリア負荷閾値４６４を下回るか否か決定８０４し得る。任意の１つ又はそれ以上のキャリアの負荷がキャリア負荷閾値４６４を下回らない場合、ノードＢ４０４は、１つ又はそれ以上の各キャリアのための１つ又はそれ以上のキャリア及び全てのベースバンドユニット（ＢＢＵ）４４２を使用する１つ又はそれ以上のユーザ設備（ＵＥ）１１６との通信８０２を継続し得る。
【００５９】
任意の１つ又はそれ以上のキャリアの負荷がキャリア負荷閾値４６４を下回る場合、ノードＢ４０４は、１つ又はそれ以上のキャリア上で不能にされる１つ又はそれ以上のベースバンドユニット（ＢＢＵ）４４２サブユニットを決定し得る。たとえば、ノードＢ４０４は、負荷の機能としてのチャンネルカード４４４、デジタル信号プロセッサ（ＤＳＰ）４４６、フィールドプログラマブルゲートアレイ（ＦＰＧＡ）４４８、特定用途向け集積回路（ＡＳＩＣ）４５０又はクロック４５２を不能にすることを決定し得る。ノードＢ４０４はまた、バックホールインターフェイスユニット４５４を不能にすることを決定し得る。１つの設計において、ノードＢ４０４は、１つ又はそれ以上の各キャリアのための同一のベースバンドユニット（ＢＢＵ）４４２サブユニットを不能にすることを決定８０６し得る。他の設計において、ノードＢ４０４は、１つ又はそれ以上の各キャリアのため不能にさせる異なるベースバンドユニット（ＢＢＵ）４４２サブユニットを決定８０６し得る。ノードＢ４０４は、次に、１つ又はそれ以上のキャリア及び不能にされていないベースバンドユニット（ＢＢＵ）４４２サブユニットのみを使用する１つ又はそれ以上のユーザ設備（ＵＥ）１１６と通信８１０し得る。１つの設計において、ノードＢ４０４は、ベースバンドユニット（ＢＢＵ）４４２サブユニットを繰り返し切るために多数のキャリア負荷閾値４６４を使用し得る。
【００６０】
ノードＢ４０４は、全て有効なベースバンドユニット（ＢＢＵ）４４２サブユニットを持つ任意の１つ又はそれ以上のキャリアの負荷がキャリア負荷閾値４６４を下回るか否かを決定８１２し得る。全ての有効なベースバンドユニット（ＢＢＵ）４４２サブユニットを持つ任意の１つ又はそれ以上のキャリアの負荷がキャリア負荷閾値４６４を下回る場合、ノードＢ４０４は、１つ又はそれ以上のキャリア上で不能にさせる１つ又はそれ以上のベースバンドユニット（ＢＢＵ）４４２サブユニットを決定８０６し得る。キャリア負荷閾値４６４を下回る負荷を持つ全て有効なベースバンドユニット（ＢＢＵ）４４２サブユニットを持つ１つ又はそれ以上のキャリアがない場合、ノードＢ４０４は、１つ又はそれ以上のキャリアの合計負荷が結合されるキャリア負荷閾値４６６を上回るか否か決定８１３し得る。１つ又はそれ以上のキャリアの合計負荷が結合されるキャリア負荷閾値４６６を上回らない場合、ノードＢ４０４は、１つ又はそれ以上のキャリア及び不能にされていないベースバンドユニット（ＢＢＵ）４４２サブユニットのみを使用する１つ又はそれ以上のユーザ設備（ＵＥ）１１６との通信８１０を継続し得る。１つ又はそれ以上のキャリアの合計負荷が結合されるキャリア負荷閾値４６６を上回る場合、ノードＢ４０４は、不能にされるベースバンドユニット（ＢＢＵ）４４２サブユニットのいくつか又は全てを再可動８１４させ得る。ノードＢ４０４はそのとき、１つ又はそれ以上のキャリア及び不能にされていないベースバンドユニット（ＢＢＵ）４４２サブユニットのみを使用する１つ又はそれ以上のユーザ設備（ＵＥ）１１６との通信８１０へ戻り得る。
【００６１】
図９は、ノードＢ４０４において実施される送信器構造及び／又はプロセスのブロック図である。図９に示される機能及びコンポーネントは、ソフトウェア、ハードウェア又はソフトウェア並びにハードウェアの組み合わせによって実施され得る。他の機能は、図９に示される機能に追加的に又は代わりに図９に追加され得る。
【００６２】
データソース９６８は、フレーム品質指標（frame quality indicator）（ＦＱＩ）／エンコーダ９７２へデータｄ（ｔ）９７０を供給し得る。フレーム品質指標（frame quality indicator）（ＦＱＩ）／エンコーダ９７２は、データｄ（ｔ）９７０に、巡回冗長検査（ＣＲＣ）のようなフレーム品質指標（frame quality indicator）（ＦＱＩ）を追加し得る。フレーム品質指標（frame quality indicator）（ＦＱＩ）／エンコーダ９７２は、さらに、符号化されているシンボル９７４を供給するため１つ又はそれ以上の符号化スキームを使用するデータｄ（ｔ）９７０を符号化し得る。各符号化スキームは、１つ又はそれ以上の符号化のタイプ、たとえば、重畳コーディング（convolutional coding）、ターボコーディング、ブロックコーディング、反復コーディング（repetition coding）、他のタイプのコーディング、又は全てにおいてコーディングしないコーディング、を含み得る。他の符号化スキームは、自動再送要求（ＡＲＱ）、ハイブリッドＡＲＱ及び増加的冗長性再送技術（incremental redundancy repeat technique）を含み得る。異なるタイプのデータは、異なる符号化スキームによって符号化され得る。
【００６３】
インターリーバ９７６は、徐々に消えてなくなることと戦うことに間に合って符号化されているデータシンボル９７４をインターリーブし得る。インターリーバ９７６は、インターリーブされているシンボル９７８を出力し得る。インターリーブされているシンボル９７８は、フレーム９８２を生成するために前に定義されるフレームフォーマットへフレームフォーマッタ９８０によって関連付けられ得る。１つの設計において、フレームフォーマットは、複数のサブセグメントから成り立っているとしてフレームを特定する。他の設計において、サブセグメントは、与えられた次元、たとえば、時間、周波数、コード又はあらゆる他の次元、に従ってフレーム９８２の任意の連続する一部であり得る。フレーム９８２は、決まった複数個数のそのようなサブセグメントから構成され得、ここで各サブセグメントは、フレームに割り当てられるシンボルの合計数の一部を含む。
【００６４】
フレームフォーマッタ９８０は、さらに、インターリーブされているシンボル９７８に加えて（図示されない）制御シンボルの包有物を特定し得る。そのような制御シンボルは、パワー制御シンボル、フレームフォーマット情報シンボルなどを含み得る。
【００６５】
変調器９８４は、変調されているデータ９８６を生成するためフレーム９８２を変調し得る。変調技術の例は、二位相偏移変調（ＢＰＳＫ）及び四位相偏移変調（ＱＰＳＫ）を含む。変調器９８４はまた、変調されているデータ９８６の順序を反復し得もする。
【００６６】
ベースバンド無線周波数（ＲＦ）変換ブロック９８８は、１つ又はそれ以上のユーザ設備（ＵＥ）１１６への無線通信リンク上でアンテナ９６０を通じた送信のため、無線周波数（ＲＦ）信号９９０へ変調されているデータ９８６を変換し得る。
【００６７】
図１０は、ノードＢ１００４内に含まれ得るあるコンポーネントを説明する。ノードＢ１００４はまた、アクセスポイント、放送送信器、基地局、発展ノードＢなどと呼ばれ得、それらの機能性のいくつか又は全てを含み得る。ノードＢ１００４は、プロセッサ１００３を含む。プロセッサ１００３は、汎用単一又は多重チップマイクロプロセッサ（たとえば、ＡＲＭ）、特定用途向けマイクロプロセッサ（たとえば、デジタル信号プロセッサ（ＤＳＰ））、マイクロコントローラ、プログラマブルゲートアレイなどであり得る。プロセッサ１００３は、中央演算装置（ＣＰＵ）と呼ばれ得る。ただ単一のプロセッサ１００３が図１０のノードＢ１００４に示されるが、代わりの設定において、プロセッサの組み合わせ（たとえば、ＡＲＭ及びＤＳＰ）が利用されことができる。
【００６８】
ノードＢ１００４はまた、メモリ１００５を含む。メモリ１００５は、電気的な情報を格納する能力のある任意の電気的コンポーネントであり得る。メモリ１００５は、ランダムアクセスメモリ（ＲＡＭ）、リードオンリーメモリ（ＲＯＭ）、磁気ディスク記録媒体、光学記録媒体、ＲＡＭにおけるフラッシュメモリ機器、プロセッサを含むオンボードメモリ、ＥＰＲＯＭメモリ、ＥＥＰＲＯＭメモリレジスタ及びそれらの組み合わせなどとして具体化され得る。
【００６９】
データ１００７及び命令１００９は、メモリ１００５に格納され得る。命令１００９ａは、本文中に記述される方法を実施するためプロセッサ１００３によって実行可能であり得る。命令１００９ａを実行することは、メモリ１００５に格納されているデータ１００７ａの利用を含み得る。プロセッサ１００３が命令１００９ａを実行する場合、命令１００９ｂの様々な部分は、プロセッサ１００３上に読み込まれ得、データ１００７ｂの様々な部分は、プロセッサ１００３上に読み込まれ得る。
【００７０】
ノードＢ１００４はまた、ノードＢ１００４へ送信及びノード１００４から受信を許可するため送信器１０１１及び受信機１０１３を含み得る。送信器１０１１及び受信機１０１３は、共同してトランシーバ１０１５と呼ばれ得る。多重アンテナ１０１７ａ−ｂは、トランシーバ１０１５へ電気的に接続され得る。ノードＢ１００４はまた、（図示されない）多重送信器、多重受信機、多重トランシーバ及び／又は追加のアンテナを含み得もする。
【００７１】
ノードＢ１００４は、デジタルシングルプロセッサ（ＤＳＰ）１０２１を含み得る。ノードＢ１００４はまた、通信インターフェイス１０２３を含み得もする。通信インターフェイス１０２３は、ノードＢ１００４と協同することをユーザに許可し得る。
【００７２】
ノードＢ１００４の様々なコンポーネントは、１つ又はそれ以上のバスによって互いに接続され得、ここで、それは、パワーバス、制御信号バス、状態信号バス、データバスなどを含み得る。簡潔さのため、様々なバスは、バスシステム１０１９として図１０に示される。
【００７３】
図１１は、無線ネットワークコントローラ（ＲＮＣ）１１７５内に含まれ得るあるコンポーネントを示す。無線ネットワークコントローラ（ＲＮＣ）１１７５は、それに接続されるノードＢ１００４を制御する責任のあるＵＭＴＳ無線アクセスネットワーク（ＵＴＲＡＮ）における支配的な要素である。無線ネットワークコントローラ（ＲＮＣ）１１７５は、媒体ゲートアレイを通じて回路交換コアネットワーク（circuit switched core network）に接続され得る。無線ネットワークコントローラ（ＲＮＣ）１１７５は、プロセッサ１１０３を含む。プロセッサ１１０３は、汎用単一又は多重チップマイクロプロセッサ（たとえば、ＡＲＭ）、特定用途向けマイクロプロセッサ（たとえば、デジタル信号プロセッサ（ＤＳＰ））、マイクロコントローラ、プログラマブルゲートアレイなどであり得る。プロセッサ１１０３は、中央演算装置（ＣＰＵ）と呼ばれ得る。ただ単一のプロセッサ１１０３が図１１の無線ネットワークコントローラ（ＲＮＣ）１１７５において示されるが、代わりの設定において、プロセッサの組み合わせ（たとえば、ＡＲＭ及びＤＳＰ）が利用されことができる。
【００７４】
無線ネットワークコントローラ（ＲＮＣ）１１７５はまた、メモリ１１０５を含む。メモリ１１０５は、電気的情報を格納する能力のあるあらゆる電気的コンポーネントであり得る。メモリ１１０５は、ランダムアクセスメモリ（ＲＡＭ）、リードオンリーメモリ（ＲＯＭ）、磁気ディスク記録媒体、光学記録媒体、ＲＡＭにおけるフラッシュメモリ機器、プロセッサに含まれるオンボードメモリ、ＥＰＲＯＭメモリ、ＥＥＰＲＯＭメモリ、レジスタ、及びそれらの組み合わせなどとして具体化され得る。
【００７５】
データ１１０７及び命令１１０９は、メモリ１１０５に格納され得る。命令１１０９ａは、本文中に記述される方法を実施するためプロセッサ１１０３によって実行可能であり得る。命令１１０９ａを実行することは、メモリ１１０５に格納されているデータ１１０７ａの使用を含み得る。プロセッサ１１０３が命令１１０９ａを実行する場合、命令１１０９ｂの様々な部分は、プロセッサ１１０３上に読み込まれ得、データ１１０７ｂの様々な部分は、プロセッサ１１０３上に読み込まれ得る。
【００７６】
無線ネットワークコントローラ（ＲＮＣ）１１７５は、デジタル信号プロセッサ（ＤＳＰ）１１２１を含み得る。無線ネットワークコントローラ（ＲＮＣ）１１７５の様々なコンポーネントは、１つ又はそれ以上のバスによって互いに接続され得、ここで、それはパワーバス、制御信号バス、状態信号パス、データバスなどを含み得る。簡略化の目的のため、様々なバスは、バスシステム１１１９として図１１において示される。
【００７７】
本文中に記述される技術は、直交多重化スキームに基づく通信システムを含む様々な通信システムのために使用され得る。そのような通信システムの例は、直交周波数分割多元接続（ＯＦＤＭＡ）システム、シングルキャリア周波数分割多元接続（ＳＣ−ＦＤＭＡ）システムなどを含む。ＯＦＤＭＡシステムは、直交周波数分割多重化（orthogonal frequency division multiplexing）（ＯＦＤＭ）を利用し、ここで、それは多重直交サブキャリアへ全体のシステム帯域幅を分割する変調技術である。これらサブキャリアはまた、トーン（tone）、ビン（bin）などと呼ばれ得もする。ＯＦＤＭによって、各サブキャリアは、独立にデータを使用して変調され得る。ＳＣ−ＦＤＭＡシステムは、システム帯域幅、隣接したサブキャリアのブロック上で送信するための局所的なＦＤＭＡ（ＬＦＤＭＡ）又は、隣接したサブキャリアの多重ブロック上で送信するための促進ＦＤＭＡ（ＥＦＤＭＡ）を横断して分配されるサブキャリア上で送信するためインターリーブされているＦＤＭＡ（ＩＦＤＭＡ）を利用し得る。一般に、変調シンボルは、ＯＦＤＭを持つ周波数領域において及びＳＣ−ＦＤＭＡを持つ時間領域において送信される。
【００７８】
「決定する」という用語は、広く様々な行為を含み、したがって、「決定する」は、計算する（calculating）、計算する（computing）、処理する（processing）、引き出す（deriving）、調査する（investigating）、調べる（looking up）（たとえば、表、データベース又は他のデータ構造を調べる）、確かめる（ascertaining）、及びその他同類のものを含むことができる。また、「決定する」は、受信する（たとえば、情報を受信する）、アクセスする（メモリ内のデータにアクセスする）及びその他同類のものを含むことができる。また、「決定する」は、解決する、選択する（selecting）、選択する（choosing）、設立する、及びその他同類のものを含むことができる。
【００７９】
明確に特定しなければ、「に基づく」という成句は、「のみに基づく」を意味しない。他の言い方をすれば、「に基づく」という成句は、「のみに基づく」及び「少なくとも・・・に基づく」の両者を記述する。
【００８０】
「プロセッサ」という用語は、汎用プロセッサ、中央演算装置（ＣＰＵ）、マイクロプロセッサ、デジタル信号プロセッサ（ＤＳＰ）、コントローラ、マイクロコントローラ及び状態機械などを含むように広く解釈されるべきである。いくつかの事情の下で、「プロセッサ」は、特定用途向け集積回路（ＡＳＩＣ）、プログラマブルロジックデバイス（ＰＬＤ）、フィールドプログラマブルゲートアレイ（ＦＰＧＡ）などを示し得る。「プロセッサ」という用語は、処理機器の組み合わせ、たとえば、ＤＳＰ及びマイクロプロセッサの組み合わせ、複数のマイクロプロセッサ、ＤＳＰコアと接続されている１つ又はそれ以上のマイクロプロセッサ、又はあらゆる他のそのような設定、を示し得る。
【００８１】
「メモリ」という用語は、電気的な情報を格納する能力のある任意の電気的コンポーネントを含むように広く解釈されるべきである。メモリという用語は、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、消去可能プログラマブルリードオンリーメモリ（ＥＰＲＯＭ）、電気的消去可能ＰＲＯＭ（ＥＥＰＲＯＭ）、フラッシュメモリ、磁気若しくは光学データストレージ、レジスタなどのような様々なタイプのプロセッサ可読媒体を示し得る。プロセッサがメモリから情報を読み及び／又はメモリへ情報を書くことができる場合、メモリは、プロセッサに電気的に接続されているといえる。プロセッサに必要不可欠なメモリは、プロセッサに電気的に接続されている。
【００８２】
「命令」及び「コード」という用語は、任意のタイプの（複数の）コンピュータ可読ステートメントを含むように広く解釈されるべきである。たとえば、「命令」及び「コード」という用語は、１つ又はそれ以上のプログラム、ルーチン、サブルーチン、関数、プロシージャなどを示し得る。「命令」及び「コード」は、単一のコンピュータ可読ステートメント又は多数のコンピュータ可読ステートメントを備え得る。
【００８３】
本文中に記述される機能は、ハードウェアによって実行されるソフトウェア又はファームウェアにおいて実施され得る。気泡は、コンピュータ可読媒体上に１つ又はそれ以上の命令として格納され得る。「コンピュータ可読媒体」又は「コンピュータプログラム製品」という用語は、コンピュータ又はプロセッサによってアクセスすることができる任意の有形の記録媒体を示す。限定デイはなく例として、コンピュータ可読媒体は、ＲＡＭ、ＲＯＭ、ＥＥＰＲＯＭ、ＣＤ−ＲＯＭ若しくは他の光学ディスクストレージ、磁気ディスクストレージ若しくは他の磁気ストレージ機器、又は、命令若しくはデータ構造の形式で所望のプログラムコードを運ぶ若しくは格納するために使用されることができ、コンピュータによってアクセスされることができる任意の他の媒体を包含し得る。ディスク（disk）は一般に磁気的にデータを再生し、一方ディスク（dick）はレーザーで光学的にデータを再生するところ、本文中で使用されているディスク（disk）及びディスク（disc）は、コンパクトディスク（ＣＤ）、レーザーディスク（登録商標）、光ディスク、ディジタル・バーサタイル・ディスク（ＤＶＤ）、フロッピー（登録商標）ディスクおよびブルーレイディスクを含む。
【００８４】
本文中に記述される方法は、記述される方法を達成するための１つ又はそれ以上のステップ又はアクションを備える。方法ステップ及び／又はアクションは、特許請求の範囲から離れることなく他の物と交換され得る。他の言い方をすれば、ステップ又はアクションの特定の順序は、記述されている方法の適切な動作のために要求されるのでなければ、特定のステップ及び／又はアクションの順序及び／又は使用は、特許請求の範囲から離れることなく改変され得る。
【００８５】
さらに、図６，７及び８に示されるそれらのような本文中に記述される方法及び技術を実行するためのモジュール及び／又は他の適切な手段が機器によってダウンロードされ及び／又はさもなければ得られることができることは、理解されるべきである。たとえば、機器は、本文中に記述される方法を実行するための手段の移動を容易にするためサーバに接続され得る。あるいはまた、機器は、機器へ記録手段を接続又は供給することで、様々な方法を得ることができるように、本文中に記述される様々な方法は、記録手段（たとえば、ランダムアクセスメモリ（ＲＡＭ）、リードオンリーメモリ（ＲＯＭ）、コンパクトディスク（ＣＤ）のような物理的記録媒体、又はフロッピー（登録商標）ディスクなど）を通じて供給されることができる。
以下に本願発明の当初の特許請求の範囲に記載された発明を付記する。
［Ｃ１］
基地局のエネルギー消費を減少させるための方法であって、
第１ダウンリンクパワーアンプを使用する第１アンテナを通じて第１パイロットチャンネルを送信することと、
第２ダウンリンクパワーアンプを使用する第２アンテナを通じて第２パイロットチャンネルを送信することと、
マルチ入力マルチ出力ユーザが前記基地局に対応するエリアにいないことを決定することと、
前記第２パイロットチャンネルを切ることと、を備える方法。
［Ｃ２］
前記第２パイロットチャンネルを切ることは、前記第２ダウンリンクパワーアンプを切ることを備える、Ｃ１に記載の方法。
［Ｃ３］
前記基地局はノードＢである、Ｃ１に記載の方法。
［Ｃ４］
前記方法は、前記基地局へ送信される命令を通じて無線ネットワークコントローラによって実行される、Ｃ１に記載の方法。
［Ｃ５］
前記第１パイロットチャンネル及び前記第２パイロットチャンネルは、ユーザ設備へのマルチ入力マルチ出力送信のために使用される、Ｃ１に記載の方法。
［Ｃ６］
基地局のエネルギー消費を減少させるための方法であって、
ｎ個のキャリアを使用する１つ又はそれ以上のユーザ設備と通信すること、
前記ｎ個のキャリアの１つ又はそれ以上の負荷がキャリア負荷閾値を下回ることを決定することと、
前記キャリア負荷閾値を下回る負荷を持つ前記１つ又はそれ以上のキャリアから、１つ又はそれ以上の他のキャリアへ、１つ又はそれ以上のユーザ設備を向け直されることと、
前記キャリア負荷閾値を下回る負荷を持つ前記１つ又はそれ以上のキャリアを消すことと、を備える方法。
［Ｃ７］
前記キャリア負荷閾値を下回る負荷を持つ前記１つ又はそれ以上のキャリアを消すことは、前記キャリア負荷閾値を下回る負荷を持つ前記１つ又はそれ以上のキャリアに対応する物理的な設備を消すことを備える、Ｃ６に記載の方法。
［Ｃ８］
物理的な設備は、ダウンリンクパワーアンプを備える、Ｃ７に記載の方法。
［Ｃ９］
物理的な設備は、ベースバンドユニット上において少なくとも１つのチャンネルカード、デジタル信号プロセッサ、フィールドプログラマブルゲートアレイ、特定用途向け集積回路、クロック、及びバックホールインターフェイスユニットを備える、Ｃ７に記載の方法。
［Ｃ１０］
前記キャリア負荷閾値を上回る負荷を持つ前記１つ又はそれ以上のキャリアを使用する前記１つ又はそれ以上のユーザ設備と通信すること、をさらに備える、Ｃ６に記載の方法。
［Ｃ１１］
前記キャリア負荷閾値を下回る負荷を持つ前記１つ又はそれ以上のキャリアから、前記キャリア負荷閾値を上回る負荷を持つ前記１つ又はそれ以上のキャリアへ、前記１つ又はそれ以上のユーザ設備を向け直されることは、異なる変調及び符号化スキームへ切り替えることを、前記１つ又はそれ以上のユーザ設備に指示することを備える、Ｃ６に記載の方法。
［Ｃ１２］
前記キャリア負荷閾値を下回る負荷を持つ前記１つ又はそれ以上のキャリアから、前記キャリア負荷閾値を上回る負荷を持つ前記１つ又はそれ以上のキャリアへ、前記１つ又はそれ以上のユーザ設備を向け直されることは、異なる周波数へ切り替えることを、前記１つ又はそれ以上のユーザ設備に指示することを備える、Ｃ６に記載の方法。
［Ｃ１３］
前記キャリア負荷閾値を上回る負荷を持つ前記１つ又はそれ以上のキャリアの合計負荷が結合されるキャリア負荷閾値を上回ることを決定すること、をさらに備える、Ｃ６に記載の方法。
［Ｃ１４］
前記キャリア負荷閾値を上回る負荷を持つ前記１つ又はそれ以上のキャリアの合計負荷は前記結合されるキャリア負荷閾値を上回り、
さらに、
前に切られているキャリアを点けることと、
前記キャリア負荷閾値を上回る負荷を持つ前記１つ又はそれ以上のキャリアから、前に切られている前記キャリアへ、１つ又はそれ以上のユーザ設備を向け直されることと、を備える、Ｃ１３に記載の方法。
［Ｃ１５］
前記前に切られているキャリアを点けることは、前記前に切られているキャリアに対応する物理的な設備を点けることを備える、Ｃ１４に記載の方法。
［Ｃ１６］
前記方法は、前記基地局によって実行され、
前記基地局は、ノードＢである、Ｃ１４に記載の方法。
［Ｃ１７］
前記方法は、前記基地局に送信される命令を通じて無線ネットワークコントローラ（ＲＮＣ）によって実行される、Ｃ６に記載の方法。
［Ｃ１８］
基地局のエネルギー消費を減少させるための方法であって、
１つ又はそれ以上のキャリアを使用する１つ又はそれ以上のユーザ設備と通信することと、
任意の前記１つ又はそれ以上のキャリアの負荷がキャリア負荷閾値を下回ることを決定することと、
前記１つ又はそれ以上のキャリア上で不能にさせる１つ又はそれ以上のベースバンドユニットサブユニットを決定することと、
前記前記ベースバンドユニットサブユニットの前記１つ又はそれ以上を不能にさせることと、
前記１つ又はそれ以上のキャリア及び不能にされていない前記ベースバンドユニットサブユニットのみを使用する前記１つ又はそれ以上のユーザ設備と通信することと、を備える方法。
［Ｃ１９］
任意の前記１つ又はそれ以上のキャリアの負荷が前記キャリア負荷閾値を上回ることを決定することと、
不能にされている１つ又はそれ以上のベースバンドユニットサブユニットを再可動させることと、をさらに備える、Ｃ１８に記載の方法。
［Ｃ２０］
前記ベースバンドユニットサブユニットは、チャンネルカード、デジタル信号プロセッサ、フィールドプログラマブルゲートアレイ、特定用途向け集積回路、クロック及びバックホールインターフェイスユニットを備える、Ｃ１８に記載の方法。
［Ｃ２１］
前記基地局はノードＢである、Ｃ１８に記載の方法。
［Ｃ２２］
前記方法は、前記基地局へ送信される命令を通じて無線ネットワークコントローラ（ＲＮＣ）によって実行される、Ｃ１８に記載の方法。
［Ｃ２３］
エネルギー消費を減少させるように構成される無線機器であって、
プロセッサと、
前記プロセッサに電気的に接続されているメモリと、
前記メモリに格納される命令であって、
第１ダウンリンクパワーアンプを使用する第１アンテナを通じて第１パイロットチャンネルを送信すること、
第２ダウンリンクパワーアンプを使用する第２アンテナを通じで第２パイロットチャンネルを送信すること、
マルチ入力マルチ出力ユーザが前記無線機器に相当するエリアにいないことを決定すること、
前記第２パイロットチャンネルを切ること、が前記プロセッサによって実行可能である、命令と、を備える無線機器。
［Ｃ２４］
前記第２パイロットチャンネルを切ることが前記プロセッサによって実行可能である前記命令は、前記第２ダウンリンクパワーアンプを切ることが前記プロセッサによって実行可能である命令を備える、Ｃ２３に記載の無線機器。
［Ｃ２５］
前記無線機器はノードＢである、Ｃ２３に記載の無線機器。
［Ｃ２６］
前記無線機器は、無線ネットワークコントローラから命令を受信する、Ｃ２３に記載の無線機器。
［Ｃ２７］
前記第１パイロットチャンネル及び前記第２パイロットチャンネルは、ユーザ設備へのマルチ入力マルチ出力ユーザ送信のために使用される、Ｃ２３に記載の無線機器。
［Ｃ２８］
エネルギー消費を減少させるように構成される無線機器であって、
プロセッサと、
前記プロセッサと電気的に接続されているメモリと、
前記メモリに格納される命令であって、
ｎ個のキャリアを使用する１つ又はそれ以上のユーザ設備と通信すること、
前記ｎ個のキャリアの１つ又はそれ以上の負荷がキャリア負荷閾値を下回ることを決定すること、
前記キャリア負荷閾値を下回る負荷を持つ１つ又はそれ以上のキャリアから、１つ又はそれ以上の他のキャリアへ、１つ又はそれ以上のユーザ設備を向け直されること、
前記キャリア負荷閾値を下回る負荷を持つ前記１つ又はそれ以上のキャリアを消すこと、が前記プロセッサによって実行可能である、命令と、を備える無線機器。
［Ｃ２９］
前記キャリア負荷閾値を下回る負荷を持つ前記１つ又はそれ以上のキャリアを消すことが前記プロセッサによって実行可能である前記命令は、前記キャリア負荷閾値を下回る負荷を持つ前記１つ又はそれ以上のキャリアに対応する物理的な設備を消すことが前記プロセッサによって実行可能である命令を備える、Ｃ２８に記載の無線機器。
［Ｃ３０］
エネルギー消費を減少させるように構成される無線機器であって、
プロセッサと、
前記プロセッサに電気的に接続されているメモリと、
前記メモリに格納される命令であって、
１つ又はそれ以上のキャリアを使用する１つ又はそれ以上のユーザ設備と通信すること、
任意の１つ又はそれ以上のキャリアの負荷がキャリア負荷閾値を下回ることを決定すること、
前記１つ又はそれ以上のキャリア上で不能にさせる１つ又はそれ以上のベースバンドユニットサブユニットを決定すること、
前記１つ又はそれ以上のベースバンドユニットサブユニットを不能にすること、
前記１つ又はそれ以上のキャリア及び不能にされていない前記ベースバンドユニットサブユニットのみを使用する前記１つ又はそれ以上のユーザ設備と通信すること、が前記プロセッサによって実行可能である、命令と、を備える無線機器。
［Ｃ３１］
前記ベースバンドユニットサブユニットは、チャンネルカード、デジタル信号プロセッサ、フィールドプログラマブルゲートアレイ、特定用途向け集積回路、クロック及びバックホールインターフェイスユニットを備える、Ｃ３０に記載の無線機器。
［Ｃ３２］
エネルギー消費を減少させるように構成される無線機器であって、
第１ダウンリンクパワーアンプを使用する第１アンテナを通じて第１パイロットチャンネルを送信するための手段と、
第２ダウンリンクパワーアンプを使用する第２アンテナを通じて第２パイロットチャンネルを送信するための手段と、
マルチ入力マルチ出力ユーザが前記無線機器に対応するエリアにいないことを決定するための手段と、
前記第２パイロットチャンネルを切るための手段と、を備える無線機器。
［Ｃ３３］
前記第２パイロットチャンネルを切るための前記手段は、前記第２ダウンリンクパワーアンプを切るための手段を備える、Ｃ３２に記載の無線機器。
［Ｃ３４］
エネルギー消費を減少させるためのコンピュータプログラム製品であって、
その上に命令を保管する非一時的なコンピュータ可読媒体であって、ここで前記命令は、
基地局に、第１ダウンリンクパワーアンプを使用する第１アンテナを通じて第１パイロットチャンネルを送信させるためのコードと、
前記基地局に、第２ダウンリンクパワーアンプを使用する第２アンテナを通じて第２パイロットチャンネルを送信させるためのコードと、
前記基地局に、マルチ入力マルチ出力ユーザが前記基地局に対応するエリアにいないことを決定させるためのコードと、
前記基地局に、前記第２パイロットチャンネルを切らせるためのコードと、を備える、非一時的なコンピュータ可読媒体を備える、コンピュータプログラム製品。
［Ｃ３５］
前記基地局に、前記第２パイロットチャンネルを切らせるための前記コードは、前記基地局に、前記第２ダウンリンクパワーアンプを切らせるためのコードを備える、Ｃ３４に記載のコンピュータプログラム製品。
［Ｃ３６］
エネルギー消費を減少させるように構成される無線機器であって、
ｎ個のキャリアを使用する１つ又はそれ以上のユーザ設備と通信するための手段と、
前記ｎ個のキャリアの１つ又はそれ以上の負荷がキャリア負荷閾値を下回ることを決定するための手段と、
前記キャリア負荷閾値を下回る負荷を持つ前記１つ又はそれ以上のキャリアから、１つ又はそれ以上の他のキャリアへ、１つ又はそれ以上のユーザ設備を向け直されるための手段と、
前記キャリア負荷閾値を下回る負荷を持つ前記１つ又はそれ以上のキャリアを切るための手段と、を備える無線機器。
［Ｃ３７］
前記キャリア負荷閾値を下回る負荷を持つ前記１つ又はそれ以上のキャリアを切るための手段は、前記キャリア負荷閾値を下回る負荷を持つ前記１つ又はそれ以上のキャリアに対応する物理的な設備を切るための手段を備える、Ｃ３６に記載の無線機器。
［Ｃ３８］
エネルギー消費を減少させるように構成される無線機器であって、
１つ又はそれ以上のキャリアを使用する１つ又はそれ以上のユーザ設備と通信するための手段と、
任意の前記１つ又はそれ以上のキャリアの負荷がキャリア負荷閾値を下回ることを決定するための手段と、
前記１つ又はそれ以上のキャリア上で不能にさせる１つ又はそれ以上のベースバンドユニットサブユニットを決定するための手段と、
前記１つ又はそれ以上のベースバンドサブユニットを不能にするための手段と、
前記１つ又はそれ以上のキャリア及び不能にされていない前記ベースバンドユニットサブユニットのみを使用する１つ又はそれ以上のユーザ設備と通信するための手段と、を備える無線機器。
［Ｃ３９］
前記ベースバンドユニットサブユニットは、チャンネルカード、デジタル信号プロセッサ、フィールドプログラマブルゲートアレイ、特定用途向け集積回路、クロック、及びバックホールインターフェイスユニットを備える、Ｃ３８に記載の無線機器。
【図１】
0005639192.tif 000003
【図２】
0005639192.tif 000004
【図３】
0005639192.tif 000005
【図４】
0005639192.tif 000006
【図５】
0005639192.tif 000007
【図６】
0005639192.tif 000008
【図７】
0005639192.tif 000009
【図８】
0005639192.tif 000010
【図９】
0005639192.tif 000011
【図１０】
0005639192.tif 000012
【図１１】
0005639192.tif 000013